(57)【要約】      （修正有）【課題】歩行器や乳母車を使う母親など両手を使う人にとって、降雨時に傘を使う操作が簡単で携帯に便利なコーモリ傘のシャフト身体保持用保持ベルトを提供する。【解決手段】巾約３ｃｍ布織ゴムベルト１の一端をコーモリ傘の把手の太さより大きめの輪をなすよう折り曲げて縫い付けた輪１−１をつくり、布織ゴムベルト１の他の一端に面ファスナーのプラス面１−２を縫い付けた布織ゴムベルト１と、布織ゴムベルト１と同様に巾約３ｃｍ布織ゴムベルト２の一端をコーモリ傘の把手の太さより大きめの輪をなすよう折り曲げて縫い付け輪２−１をつくり、布ゴム織ベルト２の他の一端には巾約３ｃｍの面ファスナーのマイナス面２−２を縫い付けた布織ゴムベルト２を用意し、布織ゴムベルト１の面ファスナーのプラス面１−２と布織ゴムベルト２と面ファスナーのマイナス面２−２を正対するよう合わせて圧着して繋ぎ合わせた。【選択図】図２
0003230249.tif 000002
【実用新案登録請求の範囲】
【請求項１】
［図１］に示す通り、巾約３ｃｍの布織ゴムベルト（以下１）の一端をコーモリ傘の把手の太さより大きめの輪をなすよう折り曲げて縫いつけたシャフト保持輪（以下１−１）とし、１の他の一端に面ファスナーのプラス面を取り付けファスナー接続面（以下１−２）とする１と１と同様に巾約３ｃｍの布織ゴムベルト（以下２）の一端を把手の太さより大きめの輪をなすよう折り曲げて縫いつけたシャフト保持輪（以下２−１）とし２の他の一端に面ファスナーのマイナス面を取り付けたファスナー接続面（以下２−２）を有する２を［図２］に示す通り面ファスナー１−２と２−２を繋ぎ合わせ、一本のベルト（以下５）にし、５の両端にあるシャフト用保持輪１−１及び２−１に把手（以下４）を先頭にシャフト（以下３）まで通し［図３］に示す通りコーモリ傘の３とによって出来る輪の中に３が［図４］に示すように身体の前面にくるように片手と首を入れコーモリ傘を身体に保持を可能とする１及２からなるシャフト保持布織ゴムベルト。
【請求項２】
［図５］に示すとおり矩形状の袋（以下１００）において上部がファスナーによって開閉できるファスナー開閉口（以下１００−１）設け、１００の右縁に布織ゴムベルトが貫通出来る貫通孔（以下１００−２）を設け，さらに１００の左縁に布織ゴムベルトが貫通出来る貫通孔（以下１００−２）を設けたコーモリ傘の把手固定収容袋。
【請求項３】
［図６］に示す通り、一本の布織ゴムベルト（以下２００）において、一端の表面に２００と同じ幅の矩形状の面ファスナーのプラス面を縫いつけた取付面（以下２００−１）を設け、他の一端の表面に２００と同じ幅の矩形状の面ファスナーのマイナス面を縫いつけた取付面（以下２００−２）を設けた胴体着用ベルトを［図７］の通り、１００の１００−２及び１００−３に貫通させ、［図９］に示す通り１００が身体の前面に、［第１０図］で示す通り２００が身体の後ろに装着可能な把手収容袋つき固定ベルト。
【考案の詳細な説明】
【技術分野】
【０００１】本考案はコーモリ傘を両手フリーの状態で使用するために必要な部品に関するものである。
【背景技術】
【０００２】コーモリ傘を手使わずに使用する方法は考案されているが、シャフトの太さに制限があり、ホック留めのため時間がかかり、壊れやすかった。また把手の支えがないため把手が下に下がり安定かつ安心して使えなかった。
【先行技術文献】
【特許文献】
【０００３】なし
【非特許文献】
【０００４】
【非特許文献１】出願番号２０１７−５９３０手持つ必要のない高さ及び傾斜調節可能なコーモリ傘
【考案の概要】
【考案が解決しようとする課題】
【０００５】歩行器を必要とする歩行困難者や乳母車を使う母親や車椅子を利用する介護者にとって両手は把手を握り、車を前後左右に移動させたり、ハンドルを操作するために使われている。従って降雨時に片手に傘を持つことは危険であり不可能である。これを解決するためには、手を使わずに傘を使う必要がある。そのために特別な傘を必要とせず既存の手持ちのコーモリ傘を身体の大きさに関係なく時間を掛けずに身体に装着できる補助具があればよい。また補助具の不使用時に携帯に便利に収容できるものでなければならない。
【課題を解決するための手段】
【０００６】本考案は既存の手持ちのコーモリ傘を［図１４］に前面、［図１５］に横面が示す通り手を使わずに安定的に使用するために必要な補助具を布織ゴムベルトと布製の袋によって開発したものである。
具体的には先ず、コーモリ傘の把手４を収容するための把手収容袋１００を用意する。１００は［図５］）が示す通り矩形状の袋からなり上部にはファスナーによって開閉できる１００−１が、１００の右縁には布織ゴムベルトが貫通出来る１００−２が，１００の左縁には布織ゴムベルトが貫通出来る１００−３がそれそれぞれ設けられている。一方１００の１００−２及び１００−３に通す胴体着用の布織ゴムベルト２００は［図６］で示す通り２００の右端の表面に面ファスナー２００−１が、２００の左端の裏面に面ファスナー２００−２が設けられた一本の布織ゴムベルトから構成されている。この２００を［図７］に示す通り１００の１００−２，１００−３の孔に通す。その場合の１００の中の状態を［図８］に示す。その１００を［図９］に示す通り身体の前面にくるように巻き２００−１と２００−２を合わせ圧着して留める。［図１０］はこの背面の状態を示す。
次にコーモリ傘のシャフト３を［請求項１］に記した通りの方法で身体の前面にくるように装着する。この状態では、把手４は左右に自由に動き安定しない。そこですでに身体の前面にセットされた１００のファスナー開閉口１００−１から把手４を［図１３］で示す通り、把手収容袋１００の中の２００と身体の間に挟むように挿入する。さらに４は１００の下縁に支えられ、４の根元はファスナーで閉める。その結果４は１００に固定され、コーモリ傘は［図１１］に示す前面状態に、［図１２］に示す後面状態に示す通り安定的に身体に保持される。
【考案の効果】
【０００７】降雨時に歩行器を使う歩行者にとっても、乳母車を押す母親、車椅子を押す介護者にとっても両手が使える。また愛犬家にとっても犬の行動制御やフン取りが出来る。野外で両手を使う作業する人、カメラで撮影する人にとっても、降雨時にも継続して作業が出来るなど多くのメリットが生まれる。
【図面の簡単な説明】
【０００８】
【図１】コーモリ傘のシャフト保持ベルトを示し、１は布織ゴムベルト、１−１はシャフト用保持輪、１−２は面ファスナーを示す。２は布織ゴムベルト、２−１はシャフト用保持輪、２−２は面ファスナーを示す。
【図２】１の布織ゴムベルトと２の布織ゴムベルトを面ファスナーで繋いだ状態。
【図３】コーモリ傘のシャフトに保持ベルト５を通しシャフトと保持ベルトで出来る輪の状態を示し  ３はシャフト、４は把手を示す。
【図４】保持ベルトによりシャフトを装着した状態を示す。
【図５】把手収容袋１００を示し  １００−１は１００の上部に設けたファスナーによる開閉口部  １００−２は１００の右縁に設けた布織ゴムベルトの貫通孔  １００−３は１００の左縁に設けた布織ゴムベルトの貫通孔をそれぞれ示す。
【図６】把手収容袋を身体の胴体に着用するための布織ゴムベルト２００を示し  ２００−１は２００の右端に面フスナーの部分  ２００−１は２００の左端に面フスナーの部分をそれぞれ示す。
【図７】把手収容袋１００に２００を貫通させた状態をしめす。
【図８】把手収容袋１００に２００を貫通させた１００の内部の状態を示す。
【図９】把手収容袋１００を身体の前面に装着した状態を示す
【図１０】把手収容袋１００を身体の前面に装着した状態の後姿をしめす。
【図１１】シャフト装着させた上で把手を把手収容袋に収納した前面の状態を示す。
【図１２】シャフト装着させた上で把手を把手収容袋に収納した後面の状態を示す。
【図１３】把手収容袋内で把手４が２００と身体間に挟まれ収容されている状態示す。
【図１４】コーモリ傘を本考案による補助具を使い両手自由の前面状態を示す。
【図１５】コーモリ傘を本考案による補助具を使い両手自由の横面状態を示す。
【図１６】シャフト保持ベルト１と２を繋ぎ１００に収納するために巻いた状態を示す。
【図１７】胴体着用ベルト２００を１００に収納するために巻いた状態を示す
【図１８】把手収容袋１００に、［図１６］、［図１７］に示したベルトを収容した態を示す。
【考案を実施するための形態】
【０００９】［図２］に示す通り、２本のゴムベルト１と２を面ファスナー１−２及び２−２で繋いだシャフト保持布織ゴムベルト５と［図７］に示す把手収容袋１００と胴体着用ベルト２００をセットした把手収容袋つき固定ベルトを利用して［図１１］に示した通りコーモリ傘を身体に装着可能とする。
【実施例】
【０００１０】［図１１］及び［図１２］に示す通り
【産業上の利用可能性】
【０００１１】両手自由でコーモリ傘を使える需要は高く、そのために必要な補助具は望まれるところであり、布織ゴムベルトと布地があれば可能である。
【符号の説明】
【０００１２】  １    布織ゴムベルト１
１−１  布織ゴムベルト１の右端にあるシャフト保持輪
１−２  布織ゴムベルト１に左端にあるファスナー接続面
２    布織ゴムベルト２
２−１  布織ゴムベルト２の左端にあるシャフト保持輪
２−２  布織ゴムベルト２の右端にあるファスナー接続面
３  コーモリ傘のシャフト
４  コーモリ傘の把手
５    布織ゴムベルト１と２を面ファスナーで繋いだ状態の布織ゴムベルト
１００  把手収容袋
１００−１  把手収容袋の上部にあるファスナー開閉口
１００−２  把手収容袋の右縁の布織ゴムベルト貫通孔
１００−３  把手収容袋の左縁の布織ゴムベルト貫通孔
２００  胴体着用ベルト
２００−１  胴体着用ベルトの右端にあるファスナーによる取付面
２００−２  胴体着用ベルトの左端にあるファスナーによる取付面
【図１】
0003230249.tif 000003
【図２】
0003230249.tif 000004
【図３】
0003230249.tif 000005
【図４】
0003230249.tif 000006
【図５】
0003230249.tif 000007
【図６】
0003230249.tif 000008
【図７】
0003230249.tif 000009
【図８】
0003230249.tif 000010
【図９】
0003230249.tif 000011
【図１０】
0003230249.tif 000012
【図１１】
0003230249.tif 000013
【図１２】
0003230249.tif 000014
【図１３】
0003230249.tif 000015
【図１４】
0003230249.tif 000016
【図１５】
0003230249.tif 000017
【図１６】
0003230249.tif 000018
【図１７】
0003230249.tif 000019
【図１８】
0003230249.tif 000020
【手続補正書】
【提出日】令和2年10月16日(2020.10.16)
【手続補正１】
【補正対象書類名】実用新案登録請求の範囲
【補正対象項目名】全文
【補正方法】変更
【補正の内容】
【実用新案登録請求の範囲】
【請求項１】
巾約３ｃｍ布織ゴムベルト（１）の一端をコーモリ傘の把手の太さより大きめの輪をなすよう折り曲げて縫い付けた輪（１−１）をつくり、布織ゴムベルト（１）の他の一端に面ファスナーのプラス面（１−２）を縫い付けた布織ゴムベルト（１）と、布織ゴムベルト（１）と同様に巾約３ｃｍ布織ゴムベルト（２）の一端をコーモリ傘の把手の太さより大きめの輪をなすよう折り曲げて縫い付け輪（２−１）をつくり、布ゴム織ベルト（２）の他の一端には巾約３ｃｍの面ファスナーのプマイナス面（２−２）を縫い付けた布織ゴムベルト（２）を用意し、布織ゴムベルト（１）の面ファスナーのプラス面（１−２）と布織ゴムベルトと（２）面ファスナーのマイナス面（２−２）を正対するよう合わせて圧着して繋ぎ合わせたコーモリ傘のシャフト身体保持用保持ベルト。
【請求項２】
矩形状の布製の袋（１００）において上部にファスナー付きの開口部（１００−１）を設け開閉出来るようにし、矩形状の布製の袋（１００）の右縁に布織ゴムベルトが貫通出来る貫通孔（１００−２）を設け、さらに矩形状の布製の袋（１００）の左縁に布織ゴムベルトが貫通出来る貫通孔（１００−３）を設けたコーモリ傘の把手固定収容袋。
【請求項３】
請求項２記載の矩形状の布製の袋（１００）の右縁の布織ゴムベルトの貫通孔（１００−２）から矩形状の布製の袋（１００）の左縁の貫通孔（１００−３）に貫通可能な胴体着用布織ゴムベルト（２００）の一端の表面に胴体着用布織ゴムベルト（２００）と同じ巾の形状の面ファスナーのプラス面（２００−１）を縫い付け、胴体着用織ゴムベルト（２００）の他の一端の裏面に胴体着用布織ゴムベルト（２００）と同じ幅の矩形状の面ファスナーのマイナス面（２００−２）を縫い付け胴体着用布織ゴムベルト（２００）を矩形状の布製の袋（１００）の右縁の布織ゴムベルトの貫通孔（１００−２）から矩形状の布製の袋（１００）の左縁の貫通孔（１００−３）に貫通させ矩形状の布製の袋（１００）を身体の前面にくるようにして胴体着用布織ゴムベルト（２００）の面ファスナーのプラス面（２００−１）と胴体着用布織ゴムベルト（２００）の面ファスナーのマイナス面（２００−２）を正対させて圧着して矩形状の布製の袋（１００）を身体に装着可能な胴体着用固定布織ゴムベルトト。